(57)【要約】【課題】本発明は、出力デバイスにおける色再現領域を保ちながらインクの総量を制限することができる色変換定義を作成する色変換定義作成方法、色変換定義作成装置、および色変換定義作成プログラムを提供する。【解決手段】ターゲットデバイスに適合したターゲット色空間のターゲット座標とデバイス非依存の測色色空間の測色座標との対応関係（例えば、ターゲットプロファイル）、および出力デバイスに適合した出力デバイス色空間の、座標成分の総和が制限された制限座標と測色座標との対応関係（例えば、出力デバイスプロファイル）を取得する。ターゲットプロファイルにおける各ターゲット座標に対応する測色座標を基準として、制限座標のうち、出力デバイスプロファイルにおいてその制限座標と対応する測色座標が基準とより近いものを探索し、ターゲット座標と探索された制限座標とを対応付ける。【選択図】        図１
2004228919.tif 000002
【特許請求の範囲】
【請求項１】
画像データに基づく画像を出力するターゲットデバイスに依存したターゲット色空間上のターゲット座標と、該画像を該ターゲットデバイスで得るときのターゲット画像を再現したプルーフ画像を画像データに基づいて出力する出力デバイスに依存した出力デバイス色空間上に存在し、座標を構成する座標成分の総和が所定制限値以下に制限された制限座標との対応を表す色変換定義を作成する色変換定義作成方法において、
前記制限座標とデバイス非依存の測色色空間上の測色座標との対応関係を取得する対応取得過程と、
目標のターゲット座標に所定の対応関係で対応付けられた測色座標を基準とするときに、前記対応取得過程で取得された対応関係によって測色座標と対応付けられた制限座標の範囲内で、対応する測色座標が前記基準により近い制限座標を探索する座標探索過程と、
前記ターゲット座標と、前記座標探索過程で探索された制限座標とを対応付けて色変換定義を作成する色変換定義作成過程とを有することを特徴とする色変換定義作成方法。
【請求項２】
前記対応取得過程は、複数のカラーパッチが配列されたカラーチャートを表す、前記制限座標で定義されたチャートデータに基づいて、前記出力デバイスによって出力されたカラーチャートのカラーパッチが測色されることによって得られた、前記制限座標と前記測色座標との対応関係を取得する過程であることを特徴とする請求項１記載の色変換定義作成方法。
【請求項３】
前記座標探索過程は、前記ターゲット色空間上の所定の複数点それぞれのターゲット座標を前記目標のターゲット座標として適用し、各目標のターゲット座標それぞれについて制限座標を探索する過程であり、
前記所定の複数点以外の点のターゲット座標と前記制限座標との対応を、前記色変換定義作成過程で得られた前記所定の複数点それぞれのターゲット座標と制限座標との対応に基づいて推定する対応推定過程を有することを特徴とする請求項１記載の色変換定義作成方法。
【請求項４】
画像データに基づく画像を出力するターゲットデバイスに依存したターゲット色空間上のターゲット座標と、該画像を該ターゲットデバイスで得るときのターゲット画像を再現したプルーフ画像を画像データに基づいて出力する出力デバイスに依存した出力デバイス色空間上に存在し、座標を構成する座標成分の総和が所定制限値以下に制限された制限座標との対応を表す色変換定義を作成する色変換定義作成装置において、
前記制限座標とデバイス非依存の測色色空間上の測色座標との対応関係を取得する対応取得部と、
目標のターゲット座標に所定の対応関係で対応付けられた測色座標を基準とするときに、前記対応取得部で取得された対応関係によって測色座標と対応付けられた制限座標の範囲内で、対応する測色座標が前記基準により近い制限座標を探索する座標探索部と、
前記ターゲット座標と、前記座標探索部で探索された制限座標とを対応付けて色変換定義を作成する色変換定義作成部とを備えたことを特徴とする色変換定義作成装置。
【請求項５】
コンピュータ内で実行され、該コンピュータによって、画像データに基づく画像を出力するターゲットデバイスに依存したターゲット色空間上のターゲット座標と、該画像を該ターゲットデバイスで得るときのターゲット画像を再現したプルーフ画像を画像データに基づいて出力する出力デバイスに依存した出力デバイス色空間上に存在し、座標を構成する座標成分の総和が所定制限値以下に制限された制限座標との対応を表す色変換定義を作成する色変換定義作成プログラムにおいて、
前記制限座標とデバイス非依存の測色色空間上の測色座標との対応関係を取得する対応取得部と、
目標のターゲット座標に所定の対応関係で対応付けられた測色座標を基準とするときに、前記対応取得部で取得された対応関係によって測色座標と対応付けられた制限座標の範囲内で、対応する測色座標が前記基準により近い制限座標を探索する座標探索部と、
前記ターゲット座標と、前記座標探索部で探索された制限座標とを対応付けて色変換定義を作成する色変換定義作成部とを備えたことを特徴とする色変換定義作成プログラム。
【発明の詳細な説明】
【０００１】
【発明の属する技術分野】
本発明は、ターゲットデバイスに依存したターゲット色空間上の座標と、出力デバイスに依存した出力デバイス上の、座標成分の総和が制限された制限座標との対応を表す色変換定義を作成する色変換定義作成方法、色変換定義作成装置、およびコンピュータ内で実行されることによりそのコンピュータを色変換定義作成装置として動作させる色変換定義作成プログラムに関する。
【０００２】
【従来の技術】
従来、カラー印刷機を用いた印刷では、Ｃ（シアン）、Ｍ（マゼンタ）、Ｙ（イエロー）のインクに、Ｋ（黒）のインクを加えた４色のインクが使用され、それらのインクが重ね合わされることによって全ての色が表現されている。本来は、Ｃ、Ｍ、Ｙ３色のインクだけで全ての色を表現できるはずであるが、これら３色のインクを混色しても十分に濃い黒が得られないなどという問題があり、特にシャドウにおいて深みのある黒を表現するためにＫインクが用いられている。
【０００３】
近年では、濃い黒を表現するためだけではなく、ＵＣＲ（Ｕｎｄｅｒ  Ｃｏｌｏｒ  Ｒｅｍｏｖａｌ：下色除去）という技法を適用するという理由からも広範にＫインクが用いられている（例えば、特許文献１参照）。ＵＣＲは、Ｃ、Ｍ、Ｙ３色のインクによって表現されるグレー成分をＫインクで置き換えることにより、重ねあわされるインクの総量を減少させる技法である。通常、ＵＣＲにおいては、例えば、（Ｃ，Ｍ，Ｙ，Ｋ）＝（６０％，７０％，８０％，０％）の網点面積率で表現される色を、その色の成分のうち等量のＣ、Ｍ、Ｙ各６０％をそれらと等量のＫ６０％で置き換えて、（Ｃ，Ｍ，Ｙ，Ｋ）＝（０％，１０％，２０％，６０％）の網点面積率で表現することが行われている。ＵＣＲを行う前の網点面積率で色を表現すると、全インクを合わせて２１０％のインクが重ね合わされることになるが、ＵＣＲを行った後の網点面積率で色を表現すると、重ねあわされるインクを９０％にまで抑えることができる。用紙上に多くのインクが重ねあわされると、インクが乾いたときにヒビが入ったり、インクが剥がれてしまう膜剥がれなどのような不具合が生じる恐れがあるが、このＵＣＲを適用して、重ねあわされるインクの総量を制限することにより、これらの不具合を回避することができる。
【０００４】
【特許文献１】
特開平５−１２４２３４号公報
【０００５】
【発明が解決しようとする課題】
ところが、上述したＵＣＲでは、特にシャドー付近（Ｋ＝１００％に近い部分）の色において、例えば、（Ｃ，Ｍ，Ｙ，Ｋ）＝（６０％，７０％，８０％，９０％）の網点面積率で表現された色にＵＣＲ処理を施そうとすると、（Ｃ，Ｍ，Ｙ，Ｋ）＝（０％，１０％，２０％，１５０％）の網点面積率になってしまうというように、Ｃ、Ｍ、ＹインクをＫインクで置き換えた後のＫインク単色での網点面積率が計算上１００％を超えてしまい、ＵＣＲ処理を行うことができない場合がある。
【０００６】
さらに、画像を出力する出力デバイスに、ＵＣＲなどのようなインクの総量を制限する方法を適用する場合、インクの総量を制限しない場合と比べて、出力デバイスによって再現することができる色の領域（色再現領域）が狭くなってしまうことがある。このことにより、特に、以下で説明するプルーフ画像の作成時に不都合が生じる。
【０００７】
カラー印刷機を用いた印刷は、フィルム原版を作成し、さらに刷版を作成するなど大がかりなうえコストがかかる作業である。したがって、印刷を行う前には、カラー印刷機に比べて手軽なプリンタ等を用いて、そのカラー印刷機で印刷されるカラー画像の色と極力同じ色に似せたプルーフ画像を作成し、そのプルーフ画像を使ってカラー画像の色やレイアウトを事前確認することが行われている。プルーフ画像を作成する際に、カラー印刷機の色再現領域内には入っているが、プリンタの色再現領域内には入っていない色については、もともとプリンタでは表現できない色であるため、その色をプリンタの色再現領域内の色で代用することが行われている。ＵＣＲなどのような従来の方法を適用して重ねあわされるインクの総量を制限すると、インクの総量を制限しない場合と比べて、プリンタの色再現領域が狭くなってしまうため、上記のような色の代用が発生する確率が上昇し、プリンタにおける色の再現性が劣化してしまう。プリンタの色の再現性が劣化すると、プルーフ画像の色がカラー画像の色と異なってしまったり、カラー画像では連続的に色が変化する部分がプルーフ画像では不連続な色の変化を生じたりなどといったことが起こり、カラー画像の色の事前確認というプルーフ画像の本来の目的を達成することが困難になるという問題がある。
【０００８】
本発明は、上記事情に鑑み、出力デバイスにおける色再現領域を保ちながらインクの総量を制限することができる色変換定義を作成する色変換定義作成方法、色変換定義作成装置、および色変換定義作成プログラムを提供することを目的とする。
【０００９】
【課題を解決するための手段】
本発明の色変換定義作成方法は、画像データに基づく画像を出力するターゲットデバイスに依存したターゲット色空間上のターゲット座標と、画像をターゲットデバイスで得るときのターゲット画像を再現したプルーフ画像を画像データに基づいて出力する出力デバイスに依存した出力デバイス色空間上に存在し、座標を構成する座標成分の総和が所定制限値以下に制限された制限座標との対応を表す色変換定義を作成する色変換定義作成方法において、
制限座標とデバイス非依存の測色色空間上の測色座標との対応関係を取得する対応取得過程と、
目標のターゲット座標に所定の対応関係で対応付けられた測色座標を基準とするときに、対応取得過程で取得された対応関係によって測色座標と対応付けられた制限座標の範囲内で、対応する測色座標が前記基準により近い制限座標を探索する座標探索過程と、
ターゲット座標と、座標探索過程で探索された制限座標とを対応付けて色変換定義を作成する色変換定義作成過程とを有することを特徴とする。
【００１０】
従来、印刷の分野においては、印刷機によって印刷されるカラー画像の色と極力同じ色に似せたプルーフ画像をプリンタ等で作成し、そのプルーフ画像を使ってカラー画像の色を事前に確認することが行われている。しかし、プルーフ画像を作成する際に重ねあわされるインクの量を、従来から使われているＵＣＲなどの方法を適用して制限すると、プリンタの色再現領域が狭くなってしまい、色の再現性が劣化して、プルーフ画像の色が実際に印刷されるカラー画像の色と見た目に大きく異なってしまうという問題がある。
【００１１】
本発明の色変換定義作成方法は、例えば、印刷機などのターゲットデバイスとプリンタなどの出力デバイスに関して、「出力デバイスプロファイル：出力デバイス色空間上の制限座標と測色座標との対応関係」および「ターゲットプロファイル：ターゲット座標と測色座標との対応関係」を取得する。さらに、ターゲットプロファイルにおいて目標のターゲット座標と対応付けられた測色座標を基準として、出力デバイス色空間上の制限座標のうち、出力デバイスプロファイルにおいてその制限座標と対応付けられた測色座標が基準とより近いものを探索して、目標のターゲット座標と探索結果である制限座標とを対応付ける。デバイス非依存の測色座標を媒介として、それぞれ対応する測色座標がより近くなるようなターゲット座標と制限座標とを対応付けることで、ターゲット座標を、そのターゲット座標が表す色と近い色を表し、かつ、画像を出力する際に重ねあわされるインクの総量が制限された制限座標に変換する色変換定義を作成することができる。
【００１２】
また、本発明の色変換定義作成方法において、上記の対応取得過程は、複数のカラーパッチが配列されたカラーチャートを表す、制限座標で定義されたチャートデータに基づいて、出力デバイスによって出力されたカラーチャートのカラーパッチが測色されることによって得られた、制限座標と測色座標との対応関係を取得する過程であってもよい。
【００１３】
また、本発明の色変換定義作成方法において、上記の座標探索過程は、ターゲット色空間上の所定の複数点それぞれのターゲット座標を目標のターゲット座標として適用し、各目標のターゲット座標それぞれについて制限座標を探索する過程であり、
所定の複数点以外の点のターゲット座標と制限座標との対応を、色変換定義作成過程で得られた所定の複数点それぞれのターゲット座標と制限座標との対応に基づいて推定する対応推定過程を有する過程であることが好ましい。
【００１４】
従来、インクを重ね合わせて色を表現する際に、インクの総量が制限値以上になる場合には、色を形成する各インクの量を全体的に減少させるなどして、重ねあわされるインクの総量を制限することが行われている。しかし、この方法によると、インクの総量が制限値を超えてしまう部分を境界に、インクの量を減少させる部分と、インクの量を減少させない部分とがはっきりと分けられてしまうため、その境界付近において色の階調が不連続になってしまうという問題がある。
【００１５】
本発明の色変換定義作成方法における上記の好ましい形態によると、ターゲット色空間上の所定の複数点のターゲット座標と対応付けられる、そのターゲット座標が表す色と近い色を表す制限座標が探索された後、その対応を基にして、所定の複数点以外の点のターゲット座標と対応付けられる制限座標が推定される。例えば、印刷において重要視される１次色や２次色などの代表的な色を忠実に再現するような対応をはじめに探索しておき、それ以外の色における対応を補間計算などで算出することによって、重要な色は所望の色に変換し、それ以外の色はその重要な色から徐々に変化するというように色の階調の連続性を保つような変換を行う色変換定義を作成することができる。
【００１６】
また、本発明の色変換定義作成方法は、出力デバイス色空間が、シアン、マゼンタ、イエロー、およびブラックに対応する座標軸を有する色空間であり、
座標探索過程は、対応取得過程で取得された対応関係における制限座標のシアン、マゼンタ、イエローの各成分を固定し、ブラック成分のみを変化させながら探索を行うものであってもよい。
【００１７】
制限座標のシアン、マゼンタ、イエローの各成分を固定し、ブラック成分のみを変化させながら探索を行うことにより、色味を残したまま、インクの総量を制限することができる。
【００１８】
また、本発明の色変換定義作成方法において、上記の座標探索過程は、所定の複数点としてターゲットデバイスの色再現領域の境界上の複数点を適用するものであることが好適である。
【００１９】
色再現領域の境界上には、１次色や２次色の純色など、印刷において重要視される色が含まれており、これらの色における対応は、対応推定過程で推定されるのではなく、座標探索過程において、忠実な色の再現を行うような対応が探索されることが好ましい。
【００２０】
また、本発明の色変換定義作成方法において、上記の座標探索過程は、所定の複数点としてターゲットデバイスの色再現領域の境界上の複数点を適用するものであり、
対応推定過程は、推定として補間を用いる過程であることが好ましい。
【００２１】
推定として補間を用いることにより、精度よく対応を推定することができる。
【００２２】
また、本発明の色変換定義作成装置は、画像データに基づく画像を出力するターゲットデバイスに依存したターゲット色空間上のターゲット座標と、画像をターゲットデバイスで得るときのターゲット画像を再現したプルーフ画像を画像データに基づいて出力する出力デバイスに依存した出力デバイス色空間上に存在し、座標を構成する座標成分の総和が所定制限値以下に制限された制限座標との対応を表す色変換定義を作成する色変換定義作成装置において、
制限座標とデバイス非依存の測色色空間上の測色座標との対応関係を取得する対応取得部と、
目標のターゲット座標に所定の対応関係で対応付けられた測色座標を基準とするときに、対応取得部で取得された対応関係によって測色座標と対応付けられた制限座標の範囲内で、対応する測色座標が前記基準により近い制限座標を探索する座標探索部と、
ターゲット座標と、座標探索部で探索された制限座標とを対応付けて色変換定義を作成する色変換定義作成部とを備えたことを特徴とする。
【００２３】
尚、本発明の色変換定義作成装置には、本発明の色変換定義作成方法の各種態様に対応する各種態様全てが含まれる。
【００２４】
また、本発明の色変換定義作成プログラムは、コンピュータ内で実行され、コンピュータによって、画像データに基づく画像を出力するターゲットデバイスに依存したターゲット色空間上のターゲット座標と、該画像を該ターゲットデバイスで得るときのターゲット画像を再現したプルーフ画像を画像データに基づいて出力する出力デバイスに依存した出力デバイス色空間上に存在し、座標を構成する座標成分の総和が所定制限値以下に制限された制限座標との対応を表す色変換定義を作成する色変換定義作成プログラムにおいて、
前記制限座標とデバイス非依存の測色色空間上の測色座標との対応関係を取得する対応取得部と、
目標のターゲット座標に所定の対応関係で対応付けられた測色座標を基準とするときに、前記対応取得部で取得された対応関係によって測色座標と対応付けられた制限座標の範囲内で、対応する測色座標が前記基準により近い制限座標を探索する座標探索部と、
前記ターゲット座標と、前記座標探索部で探索された制限座標とを対応付けて色変換定義を作成する色変換定義作成部とを備えたことを特徴とする。
【００２５】
本発明の色変換定義作成プログラムをコンピュータ内で実行させることによって、そのコンピュータを上記のような色変換定義作成装置として動作させることができる。
【００２６】
【発明の実施の形態】
以下、本発明の実施形態について説明する。
【００２７】
図１は、本発明の一実施形態が適用される印刷およびプルーフ画像作成システムの全体構成図である。
【００２８】
カラースキャナ１０では、原稿画像１１が読み取られて、その読み取った原稿画像１１を表すＣＭＹＫ４色の色分解画像データが生成される。このＣＭＹＫの画像データはワークステーション２０に入力される。ワークステーション２０では、オペレータにより、入力された画像データに基づく電子的な集版が行われ、印刷用の画像を表す画像データが生成される。この印刷用の画像データは、印刷を行う場合は、フィルムプリンタ３０に入力され、フィルムプリンタ３０では、その入力された画像データに対応した、ＣＭＹＫ各版の印刷用フィルム原版が作成される。
【００２９】
この印刷用フィルム原版からは刷版が作成され、その作成された刷版が印刷機４０に装着される。この印刷機４０に装着された刷版にはインクが塗布され、その塗布されたインクが印刷用の用紙上に転移されてその用紙上に印刷画像４１が形成される。
【００３０】
このフィルムプリンタ３０によりフィルム原版を作成し、さらに刷版を作成して印刷機４０に装着し、その刷版にインクを塗布して用紙上に印刷を行う一連の作業は、大掛かりな作業であり、コストもかかる。このため、実際の印刷作業を行う前に、プリンタ６０により、以下のようにしてプルーフ画像６１を作成し、印刷画像４１の仕上がりの事前確認が行われる。
【００３１】
プルーフ画像を作成するにあたっては、ワークステーション２０上の電子集版により作成された画像データがパーソナルコンピュータ５０に入力される。ここで、このパーソナルコンピュータ５０に入力される画像データは、いわゆるＰＤＬ（Ｐａｇｅ  Ｄｅｓｃｒｉｐｔｉｏｎ  Ｌａｎｇｕａｇｅ）で記述された言語データ、あるいは、印刷機４０に適合し、網点面積率で定義された画像データ（以下、網点面積率で定義された画像データを網％データと称する）であり、パーソナルコンピュータ５０では、いわゆるＲＩＰ（Ｒａｓｔｅｒ  Ｉｍａｇｅ  Ｐｒｏｃｅｓｓｏｒ）１００により、プリンタ６０に適合し、ビットマップに展開されたＣＭＹＫ４色の画像データに変換される。このＣＭＹＫ４色の画像データは、実質的には、フィルムプリンタ３０に入力される印刷用の画像データと同一である。ここで、ＲＩＰ１００の機能について説明する。
【００３２】
ＲＩＰ１００には、色補正装置１１０、本発明の色変換定義作成装置の一実施形態が適用された色変換装置１２０、および画像展開装置１３０それぞれとしての機能が備えられている。
【００３３】
ここに示す例では、ＲＩＰ１００の色変換装置１２０において、ページ記述データ展開装置１４０および色補正装置１１０を経てきた印刷用の画像データを、プリンタ６０の色空間に適合し、画像データに基づく画像をプリンタ６０で出力する際に重ねあわされるインクの総量が制限された画像データ（以下、インクの量が制限された画像データを制限画像データと称する）に変換することが行われ、その前段階として、画像データを変換する際に参照されるＬＵＴ（Ｌｏｏｋ  Ｕｐ  Ｔａｂｌｅ）形式を持つ色変換プロファイル２００が作成される。色変換プロファイル２００の作成方法や使用方法については後述する。ここで、説明の便宜上、本実施形態においては、プリンタ６０の色空間はＣＭＹＫ色空間であるとして説明し、以下では、印刷機４０に適合したＣＭＹＫ色空間を印刷色空間、プリンタ６０に適合したＣＭＹＫ色空間をプリンタ色空間と称する。尚、この図１に示す測色計７０はこの色変換プロファイル２００の作成に関連するものである。
【００３４】
ワークステーション２０からパーソナルコンピュータ５０に印刷用の画像データが送られてくると、ページ記述データ展開装置１４０は、その印刷用の画像データがページ記述データである場合に、その印刷用の画像データを網点面積率で定義された網％データに展開する。さらに、ページ記述データ展開装置１４０は、網％データに変換した印刷用の画像データを色補正装置１１０に送り、また、送られてきた印刷用の画像データが、元々網％データである場合には、その印刷用の画像データをそのまま色補正装置１１０に送る。色補正装置１１０は、ページ記述データ展開装置１４０から送られてきた画像データに、画像データが表す画像の色を印刷における好ましい色に補正するための、例えば画像の色の階調を変換する階調変換処理などのような画像補正処理を施す。この画像補正処理が施された画像データを、仮にそのままプリンタ６０に適合したプリンタ色空間の画像データに変換し、変換された画像データに基づいたプルーフ画像をプリンタ６０で出力すると、プルーフ画像中の色部分によっては、多量のインクが重ね合わさって表現されるために、インクが剥がれてしまうことがある。これを回避するため、画像補正処理が施された画像データは色変換装置１２０に送られ、色変換装置１２０によって色変換プロファイル２００が参照されて、画像データが、プリンタ色空間の、重ねあわされるインクの量が制限された制限画像データに変換される。また、この制限画像データは、網％データであり、このままではプリンタ６０で出力することはできない。したがって、この制限画像データは、画像展開装置１３０に送られ、画像展開装置１３０で、プリンタ６０で出力可能なビットマップ形式の制限画像データに変換される。変換後のビットマップ形式の制限画像データは、プリンタ６０に入力され、プリンタ６０では、その入力された制限画像データに基づくプルーフ画像６１が作成される。
【００３５】
このようにしてプルーフ画像６１を作成して、そのプルーフ画像６１を確認することにより、印刷の仕上がりを事前に確認することができる。図１に示す印刷機４０は、本発明にいうターゲットデバイスの一例にあたり、プリンタ６０は、本発明にいう出力デバイスの一例に相当する。また、印刷機４０に適合した印刷色空間（ＣＭＹＫ色空間）は、本発明にいうターゲット色空間、プリンタ６０に適合したプリンタ色空間（ＣＭＹＫ色空間）は、本発明にいうプリンタ色空間の一例に相当する。
【００３６】
ここで、ＲＩＰ１００を備えたパーソナルコンピュータ５０のハードウェアについて説明する。
【００３７】
図２は、図１に示す測色計７０およびパーソナルコンピュータ５０の外観斜視図、図３は、そのパーソナルコンピュータ５０のハードウェア構成図である。
【００３８】
この図２に示す測色計７０には、図４に示すような、複数のカラーパッチが配列されたカラーチャート９０が乗せられ、そのカラーチャート９０を構成する複数のカラーパッチ９１ａ，９１ｂ，…のそれぞれについて測色値（ここではＸＹＺ値とする）が測定される。この測色計７０での測定により得られた各カラーパッチの測色値を表す測色データは、ケーブル９２を経由してパーソナルコンピュータ５０に入力される。
【００３９】
このカラーチャート９０は、図１に示す印刷機４０での印刷により、あるいはプリンタ６０でのプリント出力により作成されたものであり、パーソナルコンピュータ５０は、このカラーチャート９０を構成する各カラーパッチに対応する色データ（ＣＭＹＫの各値）を知っており、このパーソナルコンピュータ５０では、そのカラーチャート９０の各カラーパッチの色データと測色計７０で得られた測色データとに基づいて、色変換プロファイル２００が作成される。この点に関する詳細な説明は後述する。ここでは、次に、パーソナルコンピュータ５０のハードウェア構成について説明する。
【００４０】
このパーソナルコンピュータ５０は、外観構成上、本体装置５１、その本体装置５１からの指示に応じて表示画面５２ａ上に画像を表示する画像表示装置５２、本体装置５１に、キー操作に応じた各種の情報を入力するキーボード５３、および、表示画面５２ａ上の任意の位置を指定することにより、その位置に表示された、例えばアイコン等に応じた指示を入力するマウス５４を備えている。この本体装置５１は、外観上、フレキシブルディスク（以下、ＦＤと省略する）を装填するためのＦＤ装填口５１ａ、およびＣＤ−ＲＯＭを装填するためのＣＤ−ＲＯＭ装填口５１ｂを有する。
【００４１】
本体装置５１の内部には、図３に示すように、各種プログラムを実行するＣＰＵ５１１、ハードディスク装置５１３に格納されたプログラムが読み出されＣＰＵ５１１での実行のために展開される主メモリ５１２、各種プログラムやデータ等が保存されたハードディスク装置５１３、ＦＤ５２０をアクセスするＦＤドライブ５１４、ＣＤ−ＲＯＭ５２１が装填され、その装填されたＣＤ−ＲＯＭ５２１をアクセスするＣＤ−ＲＯＭドライブ５１５、測色計７０と接続され、測色計７０から測色データを受け取るＩ／Ｏインタフェース５１６が内蔵されており、これらの各種要素と、さらに図２にも示す画像表示装置５２、キーボード５３、マウス５４は、バス５５を介して相互に接続されている。
【００４２】
ここで、ＣＤ−ＲＯＭ５２１には、本発明の色変換定義作成プログラムの一実施形態が適用され、パーソナルコンピュータ５０を図１の色変換装置１２０として動作させるための色変換プログラムが記憶されている。そのＣＤ−ＲＯＭ５２１はＣＤ−ＲＯＭドライブ５１５に装填され、そのＣＤ−ＲＯＭ５２１に記憶された色変換プログラムがこのパーソナルコンピュータ５０にアップロードされてハードディスク装置５１３に記憶される。そして、この色変換プログラムが起動されて実行されることにより、パーソナルコンピュータ５０は、後述する色変換定義作成方法に従って画像データを制限画像データに変換するための色変換定義を作成し、さらに、その色変換定義を使って画像データを制限画像データに変換する本発明の色変換定義作成装置の一実施形態が適用された色変換装置１２０として動作する。
【００４３】
次に、本発明の一実施形態が適用された図１の色変換装置１２０を生成するための色変換プログラムについて説明する。
【００４４】
図５は、本発明の色変換定義作成プログラムの一実施形態が記憶されたＣＤ−ＲＯＭ５２１を示す概念図である。
【００４５】
ＣＤ−ＲＯＭ５２１に記憶された色変換プログラム５３０は、対応取得部５３１、座標探索部５３２、対応推定部５３３、色変換定義作成部５３４、および画像データ変換部５３５とで構成されている。ここで、対応取得部５３１は本発明の色変換定義作成プログラムにおける対応取得部の一例に相当し、同様に、座標探索部５３２は座標探索部の一例に相当し、対応推定部５３３は対応推定部の一例に相当し、色変換定義作成部５３４は色変換定義作成部の一例に相当する。色変換プログラム５３０の各部の詳細については、図１および図６に示す本発明の色変換定義作成装置の一実施形態が適用された色変換装置１２０の各部の作用と一緒に説明する。
【００４６】
図６は、この色変換プログラム５３０を図２のパーソナルコンピュータ５０にインストールし、パーソナルコンピュータ５０を本発明の色変換定義作成装置の一実施形態として動作させるときの色変換装置１２０の機能ブロック図である。以下では、色変換装置１２０の構成要素と、それらの構成要素によるおおまかな作用について説明する。
【００４７】
図１にも示す色変換装置１２０は、対応取得部１２１、座標探索部１２２、対応推定部１２３、色変換定義作成部１２４、および画像データ変換部１２５を備えている。図５に示す色変換プログラム５３０を図１〜図３に示すパーソナルコンピュータ５０にインストールすると、色変換プログラム５３０の対応取得部５３１は図６の対応取得部１２１を構成し、同様に、座標探索部５３２は座標探索部１２２を構成し、対応推定部５３３は対応推定部１２３を構成し、色変換定義作成部５３４は色変換定義作成部１２４を構成し、画像データ変換部５３５は画像データ変換部１２５を構成する。
【００４８】
図６の対応取得部１２１、座標探索部１２２、対応推定部１２３、および色変換定義作成部１２４は、図１の印刷機４０に適合した印刷色空間上の画像データと、プリンタ６０に適合したプリンタ色空間上の制限画像データとの対応を表す色変換プロファイル２００を作成するための要素である。
【００４９】
対応取得部１２１は、印刷色空間上の画像データとデバイスに依存しない測色色空間（以下、測色色空間としてＸＹＺ色空間を使って説明する）上の画像データとの対応を表す印刷プロファイル、および、プリンタ色空間上の制限画像データと測色色空間上の画像データとの対応を表すプリンタ制限プロファイルを作成する。各プロファイルの作成方法については、後述する。この対応取得部１２１は、本発明の色変換定義作成装置における対応取得部の一例に相当する。
【００５０】
座標探索部１２２には、対応取得部１２１から、印刷プロファイルおよびプリンタ制限プロファイルが送られてくる。座標探索部１２２は、まず、印刷プロファイルにおける印刷色空間の画像データのうち、所定の複数の画像データ（ターゲットデータ）と、それらの各ターゲットデータそれぞれに対応する測色色空間の画像データ（基準データ）を取得する。さらに、プリンタ制限プロファイルにおける制限画像データのうち、対応する測色色空間の画像データが各基準データと最も近くなるものをそれぞれ探索する。この座標探索部１２２は、本発明の色変換定義作成装置における座標探索部の一例に相当する。印刷色空間上の所定の複数の画像データ（ターゲットデータ）と、各ターゲットデータそれぞれに対して探索された制限画像データとの組み合わせは、色変換定義作成部１２４に送られる。
【００５１】
対応推定部１２３は、色変換定義作成部１２４から、印刷色空間上の所定の複数の画像データ（ターゲットデータ）と、各ターゲットデータそれぞれに対して座標探索部１２２で探索された制限画像データとの組み合わせが送られ、それらの組み合わせを基に、印刷色空間上の画像データのうち、所定の複数の画像データ以外の画像データと、その画像データに応じた制限画像データとの組み合わせを推定する。この対応推定部１２３は、本発明の色変換定義作成装置における対応推定部の一例に相当する。推定された印刷色空間の画像データと制限画像データとの組み合わせは、色変換定義作成部１２４に送られる。
【００５２】
座標探索部１２２から、印刷色空間上の所定の複数の画像データ（ターゲットデータ）と各ターゲットデータそれぞれに対して探索された制限画像データとの組み合わせが送られてくると、色変換定義作成部１２４は、それらの組み合わせを対応推定部１２３に送る。対応推定部１２３から、印刷色空間上の画像データのうち、所定の複数の画像データ以外の画像データと制限画像データとの組み合わせが送られてくると、さらに、色変換定義作成部１２４は、送られてきた全ての組み合わせに対して、印刷色空間上の画像データと制限画像データとを対応付け、色変換テーブル２００を作成する。この色変換定義作成部１２４は、本発明の色変換定義作成装置における色変換定義作成部の一例に相当する。作成された色変換テーブル２００は、画像データ変換部１２５に送られる。
【００５３】
画像データ変換部１２５は、色変換定義作成部１２４で作成された色変換プロファイル２００を使って、図１に示すＲＩＰ１００内の色補正装置１１０から送られてきた、印刷色空間の画像データを、プリンタ色空間の制限画像データに変換する。変換された制限画像データは、図１に示す画像展開装置１３０に送られる。
【００５４】
色変換装置１２０は、基本的には以上のように構成されている。
【００５５】
図７は、ＲＩＰ１００で行われる一連の処理を示すフローチャートである。以下では、図７のフローチャートを使って、プルーフ画像６１を作成する一連の処理について詳しく説明する。
【００５６】
ＲＩＰ１００では、プルーフ画像６１を作成する前段階として、図６の画像データ変換部１２５で参照される色変換プロファイル２００が作成される（図７のステップＳ１）。
【００５７】
図８は、本発明の色変換定義作成方法の一実施形態を示すフローチャートである。ここで、図７のフローチャートの説明を中断し、図８のフローチャートに従って、本発明の色変換定義作成方法の一実施形態を適用して色変換プロファイル２００を作成する一連の処理について説明する。また、説明の便宜上、以下では、重ねあわされるインクの総量を制限量Ｓまでの値に制限するものとして説明する。この制限量Ｓは、本発明にいう所定制限値の一例に相当する。
【００５８】
図８のステップＴ１では、まず、図６の対応取得部１２１において、印刷色空間上の座標と測色色空間上の座標とが対応付けられた印刷プロファイルが生成される。
【００５９】
図１に示すワークステーション２０で、印刷色空間（ＣＭＹＫ色空間）に合わせて、例えば０％，１０％，……，１００％と順次変化させたＣＭＹＫのプロファイル作成用の網％データを生成し、前述の印刷手順に従って、そのようにして生成した網％データに基づくカラーチャート９０（図４参照）を作成する。図１に示す印刷画像４１は、カラーチャートを表している図ではないが、この印刷画像４１に代えて図４に示すカラーチャート９０を印刷したものとし、そのカラーチャートを構成する各カラーパッチ９１ａ，９１ｂ，…を測色計７０で測色する。こうすることにより、印刷色空間上の座標と測色色空間上の座標との対応関係を表す印刷プロファイルが構築される。
【００６０】
図９は、印刷プロファイルの概念図である。
【００６１】
この印刷プロファイルには、ＣＭＹＫで定義された画像データが入力され、その画像データがＸＹＺで定義された画像データに変換される。このＣＭＹＫで定義された画像データをＸＹＺで定義された画像データに変換する印刷プロファイルをＴで表す。印刷プロファイルＴは、本発明にいう「ターゲット座標と測色座標との所定の対応関係」の一例にあたる。
【００６２】
印刷プロファイルＴが生成されると、図８のステップＴ２では、対応取得部１２１において、プリンタ色空間上の座標成分の総和が制限量Ｓまでの値に制限された座標（以下、制限画像データを定義する、座標成分が制限された座標を制限座標と称する）と測色色空間上の座標とが対応付けられたプリンタ制限プロファイルが生成される。
【００６３】
このプリンタ制限プロファイルの作成方法は、カラーチャートを出力する出力デバイスが印刷機ではなくプリンタであるという点、およびプロファイル作成用の網％データが制限画像データである点を除き、印刷プロファイルＴの作成方法と同様である。
【００６４】
まず、各色に対応する成分の総和が制限量Ｓに制限された、プリンタ色空間の網％データを用意する。
【００６５】
図１に示すパーソナルコンピュータ５０で、プリンタ色空間（ＣＭＹＫ色空間）に合わせて、各色について例えば０％，１０％，…，１００％と順次変化させた、ＣＭＹＫのプロファイル作成用の一連の網％データを生成する。さらに、網％データごとに、インクの総量にあたる、ＣＭＹＫ４色の各色に対応する成分の総和を算出する。ここで、例えば、プロファイル作成用のｉ番目の網％データにおいてＣＭＹＫ各色に対応する成分を、（Ｃ，Ｍ，Ｙ，Ｋ）＝（Ｃｉ，Ｍｉ，Ｙｉ，Ｋｉ）とすると、このときのインクの総量Ｉｎｋｉは、
インク総量Ｉｎｋｉ＝Ｃｉ＋Ｍｉ＋Ｙｉ＋Ｋｉ
で算出される。このインク総量Ｉｎｋｉが、制限量Ｓよりも大きい場合、さらに、このインク総量Ｉｎｋｉを制限量Ｓ以下の値にまで減少させるときの変換係数Ｒｉを、
変換係数Ｒｉ＝Ｓ／Ｉｎｋｉ
の式によって算出する。このとき、ＣＭＹＫのプロファイル作成用のｉ番目の網％データ（Ｃ，Ｍ，Ｙ，Ｋ）＝（Ｃｉ，Ｍｉ，Ｙｉ，Ｋｉ）に対応する、各色の成分の総和が制限値Ｓに制限された網％データ（Ｃ’ｉ，Ｍ’ｉ，Ｙ’ｉ，Ｋ’ｉ）は、インク総量Ｉｎｋｉ≦制限量Ｓの場合、
（Ｃ’ｉ，Ｍ’ｉ，Ｙ’ｉ，Ｋ’ｉ）＝（Ｃｉ，Ｍｉ，Ｙｉ，Ｋｉ）
インク総量Ｉｎｋｉ＞制限量Ｓの場合、
（Ｃ’ｉ，Ｍ’ｉ，Ｙ’ｉ，Ｋ’ｉ）＝（Ｒｉ×Ｃｉ，Ｒｉ×Ｍｉ，Ｒｉ×Ｙｉ，Ｋｉ）
の式によって算出される。以上のような手順で、プロファイル作成用の一連の網％データそれぞれに対応する、各色の成分の総和が制限された網％データをそれぞれ算出する。
【００６６】
各色の成分の総和が制限された一連の網％データが用意されると、次に、それらの網％データがプリンタ６０に送られ、プリンタ６０でその網％データに基づくカラーチャートがプリント出力される。
【００６７】
図１に示すプルーフ画像６１は、カラーチャートを表している画像ではないが、プリンタ６０では、このプルーフ画像６１に代えて、例えば、印刷プロファイルの作成のために印刷機４０での印刷により作成したカラーチャートと同一タイプのカラーチャートを出力したものとし、そのカラーチャートを構成する各カラーパッチを測色計７０で測色する。こうすることにより、プリンタ６０についての、プリンタ色空間上の制限座標と測色色空間（ＸＹＺ空間）上の座標との対応関係を表すプリンタ制限プロファイルが構築される。
【００６８】
図１０は、プリンタ制限プロファイルの概念図である。
【００６９】
このプリンタ制限プロファイルには、ＣＭＹＫで定義された制限画像データが入力され、そのＣＭＹＫの制限画像データがＸＹＺの測色データに変換される。ここでは、このＣＭＹＫの制限画像データをＸＹＺの測色データに変換するプリンタ制限プロファイルをＰで表す。プリンタ制限プロファイルＰは、本発明にいう「制限座標と測色座標との対応関係」の一例にあたり、プリンタ制限プロファイルＰを生成するステップＴ２の処理は、本発明の色変換定義作成方法における対応取得過程の一例に相当する。生成された印刷プロファイルＴおよびプリンタ制限プロファイルＰは、図６の対応取得部１２１から座標探索部１２２に送られる。
【００７０】
尚、網％データは、１０％刻み以外の他の間隔刻みに順次変化するものであってもよい。また、ここでは、プリンタ６０はＣＭＹＫの画像データに基づいて画像を出力するプリンタであるとして説明しているが、例えばＲＧＢの画像データに基づく画像を出力するプリンタに関しても、パーソナルコンピュータ５０においてＲＧＢ色空間で定義されたプロファイル用データを発生させて、カラーチャートを出力することにより、同様にしてそのプリンタに適合したプリンタ制限プロファイルを作成することができる。ただしここでは、ＣＭＹＫの画像データに基づいて画像を出力するプリンタ６０を使用するものとして説明する。
【００７１】
印刷プロファイルＴおよびプリンタ制限プロファイルＰが生成されると、図８のステップＴ３では、図６の座標探索部１２２において、印刷プロファイルＴにおける印刷色空間の所定の複数の座標が表す各色と最も近い色を表す、プリンタ制限プロファイルＰにおけるプリンタ色空間の制限座標がそれぞれ探索される。
【００７２】
制限座標の探索の前に、まず、対応取得部１２１で生成された印刷プロファイルＴ（印刷色空間のＣＭＹＫと測色色空間のＸＹＺとの対応）を構成する全ての印刷色空間の座標それぞれにＫ成分が固定されてなる、ＣＭＹ３成分を変数とする立方体状のＣＭＹ色空間が求められる。このように求められたＣＭＹ色空間の集合は、印刷色空間と等価である。
【００７３】
図１１は、印刷プロファイルＴにおける印刷色空間の座標それぞれにＫ成分が固定されてなる一連の色空間を表す図である。
【００７４】
この図１１には、印刷プロファイルＴにおける印刷色空間の座標のＫ成分が０％，１０％，…，１００％という一連の値それぞれに固定されてなる立方体状のＣＭＹ色空間６００が示されている。図１１には、各ＣＭＹ色空間６００上に、印刷プロファイルＴにおける印刷色空間の座標が格子状に設定された格子点Ｅも示されている。
【００７５】
続いて、印刷色空間の所定の複数の座標が取得される。本実施形態においては、複数の座標として、Ｋ成分の値がＫｉ（ｉ＝０，１０，…１００）のときのＣＭＹ色空間６００それぞれにおける８つの頂点Ｄｊ（ｊ＝０，１…７）の座標が取得される。各頂点Ｄｊは本発明にいう所定の複数点の一例にあたる。
【００７６】
８つの頂点Ｄｊの座標が取得されると、制限座標の探索が行われる。すなわち、各頂点Ｄｊの座標（ＣＤｊ，ＭＤｊ，ＹＤｊ，Ｋｉ）をターゲット座標とするときに、印刷プロファイルＴにおいて各ターゲット座標とそれぞれ対応する測色座標（ＸＤｊ，ＹＤｊ，ＺＤｊ）を基準座標とし、プリンタ制限プロファイルＰにおけるプリンタ色空間の制限座標のうち、その制限座標と対応する測色座標が各基準座標と最も近いものをそれぞれ探索する。本実施形態における探索手順を以下に示す。
【００７７】
まず、図８のステップＴ２でプリンタ色空間の網％データに対応するプリンタ色空間の制限画像データを算出したときと同様に、各ターゲット座標にそれぞれ対応する、印刷色空間の制限座標（ターゲット制限座標と称する）を算出する。ターゲット座標（ＣＤｊ，ＭＤｊ，ＹＤｊ，Ｋｉ）に対応するターゲット制限座標（Ｃ’Ｄｊ，Ｍ’Ｄｊ，Ｙ’Ｄｊ，Ｋ’ｉ）は、
インク総量Ｉｎｋｉ＿ｊ＝ＣＤｊ＋ＭＤｊ＋ＹＤｊ＋Ｋｉ
変換係数Ｒｉ＿ｊ＝Ｓ／Ｉｎｋｉ＿ｊ
で算出されるインク総量が制限量Ｓより大きいか否かによって、インク総量Ｉｎｋｉ＿ｊ≦制限量Ｓの場合、
ターゲット制限座標（Ｃ’Ｄｊ，Ｍ’Ｄｊ，Ｙ’Ｄｊ，Ｋ’ｉ）＝（ＣＤｊ，ＭＤｊ，ＹＤｊ，Ｋｉ）
インク総量Ｉｎｋｉ＿ｊ＞制限量Ｓの場合、
ターゲット制限座標（Ｃ’Ｄｊ，Ｍ’Ｄｊ，Ｙ’Ｄｊ，Ｋ’ｉ）＝（Ｒｉ＿ｊ×ＣＤｊ，Ｒｉ＿ｊ×ＭＤｊ，Ｒｉ＿ｊ×ＹＤｊ，Ｋｉ）
で算出される。
【００７８】
続いて、ターゲット制限座標（Ｃ’Ｄｊ，Ｍ’Ｄｊ，Ｙ’Ｄｊ，Ｋ’ｉ）と各座標成分が同じ値である、プリンタ制限プロファイルＰにおけるプリンタ色空間の制限座標（Ｃ’Ｐ，Ｍ’Ｐ，Ｙ’Ｐ，Ｋ’Ｐ）、つまり、
プリンタ色空間の制限座標（Ｃ’Ｐ，Ｍ’Ｐ，Ｙ’Ｐ，Ｋ’Ｐ）＝ターゲット制限座標（Ｃ’Ｄｊ，Ｍ’Ｄｊ，Ｙ’Ｄｊ，Ｋ’ｉ）
であるプリンタ色空間の制限座標を取得する。さらに、基準座標（ＸＤｊ，ＹＤｊ，ＺＤｊ）と座標成分が最も近い測色座標を、プリンタ制限プロファイルＰにおいて、プリンタ色空間の制限座標（Ｃ’Ｐ，Ｍ’Ｐ，Ｙ’Ｐ，Ｋ’Ｐ）に近接した制限座標と対応する測色座標（ＸＰ，ＹＰ，ＺＰ）の中から探索し、探索された測色座標と対応するプリンタ色空間の制限座標を取得する。ターゲット座標と、取得されたプリンタ色空間の制限座標との組み合わせは、図６の座標探索部１２２から色変換定義作成部１２４へ送られる。この基準座標は、本発明にいう基準の一例にあたる。また、図８のステップＴ３に示す、ターゲット座標と組み合わされるプリンタ色空間の制限座標を取得するまでの一連の処理は、本発明の色変換定義作成方法における座標探索過程の一例に相当する。
【００７９】
ここで、本実施形態では、プリンタ色空間（ＣＭＹＫ）が印刷色空間（ＣＭＹＫ）と同じＣＭＹＫ４色に対応する座標軸を有する色空間であるため、ターゲット座標に対応するターゲット制限座標を算出して、そのターゲット制限座標と座標成分が同じであるプリンタ色空間の制限座標に近接した制限座標に対して探索を行うことにより、探索範囲を狭めて処理を高速化することを行ったが、ターゲット制限座標を算出せずに、プリンタ制限プロファイルＰにおける全ての制限座標に対して探索を行うものであってもよい。また、印刷プロファイルＴにおける測色座標の値の範囲（色再現領域）とプリンタ制限プロファイルＰにおける測色座標の値の範囲（色再現領域）が大きく異なる場合、制限座標の探索を行う前に、それぞれの色再現領域を一致させるような変換処理を行ってもよい。
【００８０】
座標探索部１２２から、印刷プロファイルＴにおける所定の複数点（各ＣＭＹ色空間６００上の格子点Ｅのうち各頂点Ｄｊ）の座標（ＣＤｊ，ＭＤｊ，ＹＤｊ，Ｋｉ）と、プリンタ制限プロファイルＰにおける制限座標（Ｃ’Ｐ，Ｍ’Ｐ，Ｙ’Ｐ，Ｋ’Ｐ）との組み合わせが送られてくると、色変換定義作成部１２４は、それらの組み合わせを対応推定部１２３に送る。
【００８１】
図８のステップＴ４では、対応推定部１２３において、印刷プロファイルＴにおける所定の複数点以外の点（各ＣＭＹ色空間６００上の、格子点Ｅのうち各頂点Ｄｊ以外の格子点Ｅ）の座標（Ｃａｎｙ，Ｍａｎｙ，Ｙａｎｙ，Ｋｉ）（ａｎｙ：各頂点Ｄｊ以外の格子点Ｅ）と組み合わされる、プリンタ色空間上の制限座標（Ｃ’Ｐ＿ａｎｙ，Ｍ’Ｐ＿ａｎｙ，Ｙ’Ｐ＿ａｎｙ，Ｋ’Ｐ＿ａｎｙ）が算出される。本実施形態においては、各ＣＭＹ色空間６００における８つの各頂点Ｄｊのうち、格子点Ｅを取り囲む４点を選択して重み付けを行う４点補間方式を採用して、格子点Ｅの座標と組み合わされるプリンタ色空間上の制限座標を算出する。以下、この４点補間方式によってプリンタ色空間上の制限座標を算出する手順について説明する。
【００８２】
まず、各格子点Ｅの座標（Ｃａｎｙ，Ｍａｎｙ，Ｙａｎｙ，Ｋｉ）における座標成分の大小関係から、８つの頂点Ｄｊのうち重み付けを行う４点を選択する。例えば、格子点Ｅの座標成分が、Ｙａｎｙ＜Ｍａｎｙ＜Ｃａｎｙであれば、点Ｄ０および点Ｄ７の他に、点Ｄ１と点Ｄ３を選択し、
座標０＝頂点Ｄ０の座標と組み合わされたプリンタ色空間の制限座標
座標０＝頂点Ｄ７の座標と組み合わされたプリンタ色空間の制限座標
座標ａ＝頂点Ｄ１の座標と組み合わされたプリンタ色空間の制限座標
座標ｂ＝頂点Ｄ３の座標と組み合わされたプリンタ色空間の制限座標
の４つの頂点Ｄｊの座標と組み合わされたプリンタ色空間の制限座標を用いて補間計算を行う。このとき、Ｙａｎｙ＜Ｍａｎｙ＜Ｃａｎｙであるので、例えば、格子点Ｅの座標成分が、Ｙａｎｙ＜Ｍａｎｙ＜Ｃａｎｙであれば、頂点Ｄ０および頂点Ｄ７の他に、頂点Ｄ１と頂点Ｄ３を選択し、それら４点の座標を用いて補間計算を行う。このとき、Ｙａｎｙ＜Ｍａｎｙ＜Ｃａｎｙであるので、
ＶＬ＝Ｃａｎｙ
ＶＭ＝Ｍａｎｙ
ＶＳ＝Ｙａｎｙ
と置き換え、補間計算を行う際の重み付け係数を、
Ｋ０＝１−ＶＬ
Ｋ７＝ＶＳ
Ｋａ＝ＶＬ−ＶＭ
Ｋｂ＝ＶＭ−ＶＳ
と設定すると、格子点Ｅの座標と組み合わされるプリンタ色空間上の制限座標は、
プリンタ色空間上の制限座標＝Ｋ０・座標０＋Ｋ７・座標０＋Ｋａ・座標ａ＋Ｋｂ・座標ｂ
という補間式によって算出される。以下、同様に、格子点Ｅの座標成分が、Ｍａｎｙ＜Ｙａｎｙ＜Ｃａｎｙであれば、頂点Ｄ０および頂点Ｄ７の他に、頂点Ｄ１と頂点Ｄ５を選択し、上記座標ａ，座標ｂ，ＶＬ，ＶＭ，ＶＳに替えて、
座標ａ＝頂点Ｄ１の座標と組み合わされたプリンタ色空間の制限座標
座標ｂ＝頂点Ｄ６の座標と組み合わされたプリンタ色空間の制限座標
ＶＬ＝Ｃａｎｙ
ＶＭ＝Ｙａｎｙ
ＶＳ＝Ｍａｎｙ
という値を得る。また、Ｙａｎｙ＜Ｃａｎｙ＜Ｍａｎｙであれば、頂点Ｄ０および頂点Ｄ７の他に、頂点Ｄ２と頂点Ｄ３を選択し、
座標ａ＝頂点Ｄ２の座標と組み合わされたプリンタ色空間の制限座標
座標ｂ＝頂点Ｄ３の座標と組み合わされたプリンタ色空間の制限座標
ＶＬ＝Ｍａｎｙ
ＶＭ＝Ｃａｎｙ
ＶＳ＝Ｙａｎｙ
という値を得る。また、Ｃａｎｙ＜Ｙａｎｙ＜Ｍａｎｙであれば、頂点Ｄ０および頂点Ｄ７の他に、頂点Ｄ２と頂点Ｄ６を選択し、
座標ａ＝頂点Ｄ２の座標と組み合わされたプリンタ色空間の制限座標
座標ｂ＝頂点Ｄ６の座標と組み合わされたプリンタ色空間の制限座標
ＶＬ＝Ｍａｎｙ
ＶＭ＝Ｙａｎｙ
ＶＳ＝Ｃａｎｙ
という値を得る。また、Ｍａｎｙ＜Ｃａｎｙ＜Ｙａｎｙであれば、頂点Ｄ０および頂点Ｄ７の他に、頂点Ｄ４と頂点Ｄ５を選択し、
座標ａ＝頂点Ｄ４の座標と組み合わされたプリンタ色空間の制限座標
座標ｂ＝頂点Ｄ５の座標と組み合わされたプリンタ色空間の制限座標
ＶＬ＝Ｙａｎｙ
ＶＭ＝Ｃａｎｙ
ＶＳ＝Ｍａｎｙ
という値を得る。また、Ｃａｎｙ＜Ｍａｎｙ＜Ｙａｎｙであれば、頂点Ｄ０および頂点Ｄ７の他に、頂点Ｄ４と頂点Ｄ６を選択し、
座標ａ＝頂点Ｄ４の座標と組み合わされたプリンタ色空間の制限座標
座標ｂ＝頂点Ｄ６の座標と組み合わされたプリンタ色空間の制限座標
ＶＬ＝Ｙａｎｙ
ＶＭ＝Ｍａｎｙ
ＶＳ＝Ｃａｎｙ
という値を得る。そして、これらの値を上記の「プリンタ色空間上の制限座標」を算出する式に代入する。本実施形態においては、８つの頂点における変換係数から４つを選択して重み付けを行なう４点補間方式を採用しているが、格子点Ｅの座標と組み合わされるプリンタ色空間上の制限座標は、他にも６点補間方式、８点補間方式等で補間して算出することも可能である。さらに、補間以外の方法でプリンタ色空間上の制限座標を推定するものであってもよい。この、図８のステップＴ３における、各ＣＭＹ色空間６００の各頂点Ｄｊ以外の格子点Ｅの座標と組み合わされるプリンタ色空間上の制限座標を算出する過程は、本発明の色変換定義作成方法における対応推定過程の一例に相当する。
【００８３】
図１１に示す各ＣＭＹ色空間６００上の頂点Ｄｊを含む全格子点Ｅにおけるターゲット座標とプリンタ色空間の制限座標の組み合わせが算出されると、図８のステップＴ５では、図６の色変換定義作成部１２４において、全格子点Ｅのターゲット座標とプリンタ色空間の制限座標が対応付けられ、色変換プロファイル２００が生成される。
【００８４】
図１２は、色変換プロファイル２００の概念図である。
【００８５】
色変換プロファイル２００には、印刷用のＣＭＹＫの画像データが入力され、その画像データは、プリンタ用のＣＭＹＫの制限画像データに変換される。上記のような手順で作成された色変換プロファイル２００は、色変換定義作成部１２４から画像データ変換部１２５に送られる。この色変換プロファイル２００は、本発明にいう色変換定義の一例に相当し、色変換プロファイル２００を作成する図８のステップＴ５の処理は、本発明の色変換定義作成方法における色変換定義作成過程の一例に相当する。
【００８６】
ここで、図７のフローチャートに戻って説明する。
【００８７】
図１に示す色補正装置１１０は、ワークステーション２０から印刷用の画像データを取得する（図７のステップＳ２）。色補正装置１１０は、取得した画像データに、画像データが表す画像の色を印刷において好ましい色に補正するための画像補正処理を施し（図７のステップＳ３）、画像補正処理後の画像データを、図６に示す画像データ変換部１２５に送る。
【００８８】
画像データ変換部１２５は、図７のステップＳ１で予め作成されていた色変換プロファイル２００を参照し、図１の色補正装置１１０から送られてきた印刷色空間の画像データを、プリンタ色空間上の、インクの総量が制限された制限画像データに変換する（図７のステップＳ４）。
【００８９】
変換された制限画像データは、画像データ変換部１２５から、図１の画像展開装置１３０に送られ、ビットマップ形式の画像データに変換される（図７のステップＳ５）。そのビットマップ形式の画像データがプリンタ６０に送られ、プリンタ６０においてプルーフ画像６１が生成される（図７のステップＳ６）。このプルーフ画像は、重ねあわされるインクの量が制限されており、膜剥がれなどの不具合の発生率が抑えられている。また、色補正装置１１０から色変換装置１２０に送られてきた画像データは、補間計算によって算出された一連の変換係数を使って作成された色変換プロファイル２００に基づき、制限画像データに変換されるため、色の階調の連続性が保たれている。さらに、印刷色空間の画像データからプリンタ色空間の制限画像データに変換する際に参照される色変換プロファイル２００は、測色色空間を媒介として、印刷色空間の画像データが表す色となるべく近い色を表すプリンタ色空間の画像データとを対応付けたものであるため、プリンタ６０によって重ねあわされるインクの色を制限しても、印刷画像４１と見た目に十分同じ色を有するプルーフ画像６１が得られる。
【００９０】
以上で、本発明の第１実施形態の説明を終了し、次に、本発明の第２実施形態の説明を行う。この第２実施形態は、図６に示す第１実施形態の色変換装置１２０の構成と同様な構成を有するが、座標探索部で行われる座標の探索方法が相違している。また、この第２実施形態は、図８のフローチャートにおけるステップＴ３の処理のみ第１実施形態と異なるため、以下では、このステップＴ３の処理を中心に、第２実施形態を適用して色変換プロファイルを作成する手順について説明する。
【００９１】
第２実施形態においても、第１実施形態と同様に、まずは、図６の対応取得部において、印刷色空間（ＣＭＹＫ）の座標と測色色空間（ＸＹＺ）の座標とが対応付けられた印刷プロファイルＴ、およびプリンタ色空間（ＣＭＹＫ）の制限座標と測色色空間（ＸＹＺ）の座標とが対応付けられたプリンタ制限プロファイルＰが生成される（図８のステップＳ１およびステップＳ２）。
【００９２】
印刷プロファイルＴおよびプリンタ制限プロファイルＰが生成されると、図８のステップＴ３では、図６の座標探索部において、制限座標の探索が行われる。第２実施形態では、第１実施形態での制限座標の探索の条件「印刷プロファイルＴにおける印刷色空間の所定の複数点の座標が表す色とより近い色を表す、プリンタ制限プロファイルＰにおけるプリンタ色空間の制限座標」に加えて、「色度値が大きいプリンタ色空間の制限座標」という条件を満たす制限座標が探索される。
【００９３】
第１実施形態と同様に、制限座標の探索の前に、まず、印刷プロファイルＴを構成する印刷色空間の全座標それぞれにＫ成分が固定されてなる、ＣＭＹ３色を変数とする図１１の各ＣＭＹ色空間６００が求められる。
【００９４】
続いて、第１実施形態と同様に、印刷色空間の所定の複数点の座標として、各ＣＭＹ色空間６００の８つの頂点Ｄｊの座標（ＣＤｊ，ＭＤｊ，ＹＤｊ，Ｋｉ）が取得される。
【００９５】
頂点Ｄｊの座標（ＣＤｊ，ＭＤｊ，ＹＤｊ，Ｋｉ）が取得されると、制限座標の探索が行われる。まず、頂点Ｄｊの座標（ＣＤｊ，ＭＤｊ，ＹＤｊ，Ｋｉ）をターゲット座標とし、印刷プロファイルＴにおいてターゲット座標と対応する測色座標（ＸＤｊ，ＹＤｊ，ＺＤｊ）を基準座標とする。このとき、ターゲット座標と座標成分が同じになるプリンタ色空間の制限座標（ＣＤｊ，ＭＤｊ，ＹＤｊ，Ｋｉ）から順次Ｋ成分を変数として変化させながら、プリンタ制限プロファイルにおける制限座標（ＣＤｊ，ＭＤｊ，ＹＤｊ，Ｋ）（Ｋは変数）と対応付けられた測色座標が、基準座標と最も近くなるときの制限座標を探索する。
【００９６】
ターゲット座標と探索された制限座標との組み合わせは、第１実施形態と同様に、座標探索部から色変換定義作成部に送られる。
【００９７】
以下、第１実施形態と同様に、対応推定部で印刷色空間の所定の複数点以外の点の座標と対応付けられるプリンタ色空間の制限座標が算出され、色変換定義作成部において、印刷色空間における座標とプリンタ色空間の制限座標とが対応付けられた色変換プロファイルが作成される。
【００９８】
このように、Ｃ，Ｍ，Ｙ成分は変化させずに、Ｋ成分を変化させながら制限座標を探索することによって、なるべく色味を保ちながら、インクの総量を制限することができる。
【００９９】
ここで、上記では、印刷色空間およびプリンタ色空間がどちらもＣＭＹＫ色空間である場合について説明したが、本発明にいうターゲット色空間および出力デバイス色空間は、ＣＭＹＫ色空間に限られるものではなく、例えば、ＲＧＢ色空間や、５色以上の色成分によって色が表現される色空間などであってもよく、さらに、ターゲット色空間と出力デバイス色空間は相互に異なる色空間であってもよい。
【０１００】
また、上記では、網％データをビットマップ形式の画像データに展開する画像展開機能を備えていないプリンタを適用したプルーフ画像作成システムについて説明したが、画像展開機能を有するプリンタを適用して、色変換装置でインクの量が制限された制限画像データを、画像展開装置を介さずに直接プリンタに送り、プルーフ画像を生成してもよい。
【０１０１】
また、上記では、ターゲット色空間の複数点の座標として、Ｋ成分が固定されてなる一連のターゲット色空間おける頂点の座標を適用する例について説明したが、本発明の色変換定義作成方法は、ターゲット色空間上の頂点以外の複数点の座標を適用するものであってもよい。
【０１０２】
また、上記では、ターゲット色空間上の複数点におけるターゲット座標とプリンタ色空間上の制限座標との対応を基に、ターゲット色空間上の複数点以外の点におけるターゲット座標と制限座標との対応を補間計算によって算出したが、ターゲット色空間上の複数点におけるターゲット座標をプリンタ色空間上の制限座標に変換するための変換係数を基に、ターゲット色空間上の複数点以外の点におけるターゲット座標と制限座標との対応を算出するものであってもよい。
【０１０３】
また、本発明の色変換定義作成装置あるいは色変換定義作成プログラムにおいて、「対応取得部」、「座標探索部」、および「対応推定部」は、同一の装置あるいはプログラム内に備えたものであってもよく、あるいは、別々の装置やプログラムに備えたものであってもよく、本発明の色変換定義作成方法を実現することができるものであれば、具体的な実現形態は問わない。
【０１０４】
さらに、上記では、画像データが表す画像の色を補正する色補正装置と、印刷色空間の画像データをプリンタ色空間の制限画像データに変換する色変換装置とを別に備えた色変換装置について説明したが、本発明の色変換定義作成方法においては、それらの装置で行われる処理をまとめて行う１つのプロファイルを作成するものであってもよい。
【０１０５】
【発明の効果】
以上、説明したように、本発明によれば、出力デバイスにおける色再現領域を保ちながらインクの総量を制限することができる。
【図面の簡単な説明】
【図１】本発明の一実施形態が適用される印刷およびプルーフ画像作成システムの全体構成図である。
【図２】図１に示す測色計およびパーソナルコンピュータの外観斜視図である。
【図３】パーソナルコンピュータのハードウェア構成図である。
【図４】カラーチャートの模式図である。
【図５】本発明の色変換定義作成プログラムの一実施形態が記憶されたＣＤ−ＲＯＭを示す概念図である。
【図６】本発明の色変換定義作成装置の一実施形態である色変換装置の機能ブロック図である。
【図７】ＲＩＰで行われる一連の処理を示すフローチャートである。
【図８】本発明の色変換定義作成方法の一実施形態を示すフローチャートである。
【図９】印刷プロファイルの概念図である。
【図１０】プリンタ制限プロファイルの概念図である。
【図１１】印刷プロファイルＴにおける印刷色空間の座標それぞれにＫ成分が固定されてなる一連の色空間を表す図である。
【図１２】色変換プロファイルの概念図である。
【符号の説明】
１０    カラースキャナ
１１    原稿画像
２０    ワークステーション
３０    フィルムプリンタ
４０    印刷機
４１    印刷画像
５０    パーソナルコンピュータ
５１    本体装置
５１ａ    ＦＤ装填口
５１ｂ    ＣＤ−ＲＯＭ装填口
５２    画像表示装置
５２ａ  表示画面
５３    キーボード
５４    マウス
５５    バス
６０    プリンタ
６１    プルーフ画像
７０    測色計
９０    カラーチャート
９１ａ，９１ｂ，…    カラーパッチ
１００    ＲＩＰ
１１０    色補正装置
１２０    色変換装置
１２１    対応取得部
１２２    座標探索部
１２３    対応推定部
１２４    色変換定義作成部
１２５    画像データ変換部
１３０    画像展開装置
１４０    ページ記述データ展開装置
２００    色変換プロファイル
５１１    ＣＰＵ
５１２    主メモリ
５１３    ハードディスク装置
５１４    ＦＤドライブ
５１５    ＣＤ−ＲＯＭドライブ
５１６    Ｉ／Ｏインタフェース
５２０    ＦＤ
５２１    ＣＤ−ＲＯＭ
５３０    色変換プログラム
５３１    対応取得部
５３２    座標探索部
５３３    対応推定部
５３４    色変換定義作成部
５３５    画像データ変換部
６００    立方体状の色空間
Ｔ    印刷プロファイル
Ｐ    プリンタ制限プロファイル
【図１】
2004228919.tif 000003
【図２】
2004228919.tif 000004
【図３】
2004228919.tif 000005
【図４】
2004228919.tif 000006
【図５】
2004228919.tif 000007
【図６】
2004228919.tif 000008
【図７】
2004228919.tif 000009
【図８】
2004228919.tif 000010
【図９】
2004228919.tif 000011
【図１０】
2004228919.tif 000012
【図１１】
2004228919.tif 000013
【図１２】
2004228919.tif 000014